(57)【要約】  端末装置と無線通信を行なう基地局装置であって、前記端末装置との間のデータの送受信を制御する送受信制御部と、前記送受信制御部が前記端末装置との間でデータの送受信の設定を行なうための設定を行い（Ｓ４０）、かつ前記端末装置の移動を管理する設定管理部と、前記設定管理部が前記設定を行った後、前記設定管理部を非活性化する（Ｓ４４）非活性化部と、を具備し、前記送受信制御部は、前記設定管理部が非活性化した状態で前記端末装置とのデータの送受信を行なう（Ｓ４６）基地局装置。
2010140261.tif 000002
【特許請求の範囲】
【請求項１】
端末装置と無線通信を行なう基地局装置であって、
前記端末装置との間のデータの送受信を制御する送受信制御部と、
前記送受信制御部が前記端末装置との間でデータの送受信の制御を行なうための設定を行い、かつ前記端末装置の移動を管理する設定管理部と、
前記設定管理部が前記設定を行った後、前記設定管理部を非活性化する非活性化部と、
を具備し、
前記送受信制御部は、前記設定管理部が非活性化した状態で前記端末装置とのデータの送受信を行なうことを特徴とする基地局装置。
【請求項２】
前記非活性化部は、前記端末装置に応じ、前記設定管理部の非活性化を行なうか否かを決定することを特徴とする請求項１記載の基地局装置。
【請求項３】
前記非活性化部は、前記端末装置が移動端末の場合前記設定管理部を非活性化せず、前記端末装置が固定端末の場合前記設定管理部を非活性化することを特徴とする請求項１記載の基地局装置。
【請求項４】
前記送受信制御部は、前記端末装置とのデータの送受信が行われなくなってから所定時間経過した場合に、前記設定を削除することを特徴とする請求項１から３のいずれか一項記載の基地局装置。
【請求項５】
前記送受信制御部は、前記端末装置とのデータの送受信が所定量以上となった場合に、前記設定を削除することを特徴とする請求項１から４のいずれか一項記載の基地局装置。
【請求項６】
基地局装置と無線通信を行なう端末装置であって、
前記基地局装置との間のデータの送受信を制御する送受信制御部と、
前記送受信制御部が前記基地局装置との間でデータの送受信を制御するための設定を行い、かつ前記端末装置の移動を管理する設定管理部と、
前記設定管理部が前記設定を行った後、前記基地局装置の指示に基づき前記設定管理部を非活性化する非活性化部と、
を具備し、
前記送受信制御部は、前記設定管理部が非活性化した状態で前記基地局装置とのデータの送受信を行なうことを特徴とする端末装置。
【請求項７】
前記非活性化部は、前記基地局装置に前記設定管理部の非活性化を行なうことを指示する情報を送信することを特徴とする請求項６記載の端末装置。
【請求項８】
前記送受信制御部は、前記基地局装置とのデータの送受信が行われなくなってから所定時間経過した場合に、前記設定を削除することを特徴とする請求項６または７記載の端末装置。
【請求項９】
端末装置と基地局装置とが無線通信を行なう通信システムであって、
前記端末装置との間のデータの送受信を制御する送受信制御部と、前記送受信制御部が前記端末装置との間でデータの送受信を制御するための設定を行い、かつ前記端末装置の移動を管理する設定管理部と、前記設定管理部が前記設定を行った後、前記設定管理部を非活性化する非活性化部と、を備えた基地局装置と、
端末装置と、を具備し、
前記送受信制御部は、前記設定管理部が非活性化した状態で前記端末装置とのデータの送受信を行なうことを特徴とする通信システム。
【発明の詳細な説明】
【技術分野】
【０００１】
本発明は、基地局装置、端末装置および通信システムに関する。
【背景技術】
【０００２】
基地局と移動端末等の端末装置とが無線通信を行なう通信システムにおいては、端末装置が基地局のセル内およびセル間を移動する。このため、端末装置の移動に伴う移動制御が行われる。一方、端末装置を半固定状態で用いる場合がある。例えば、端末装置を家電等に接続し、通信システムを用い家電等を制御することが検討されている。【０００３】
端末装置が移動しない端末の場合、ハンドオーバ等の端末装置の移動に関する制御を行なわない通信システムが知られている（例えば、特許文献１）。
【先行技術文献】
【特許文献】
【０００４】
【特許文献１】国際公開２００７／０６６３９９号パンフレット
【発明の概要】
【発明が解決しようとする課題】
【０００５】
特許文献１の技術では、端末装置の移動に関する制御に用いるリソースを解放することができる。本基地局装置、端末装置および通信システムは、端末装置の移動の管理に加え、データの送受信の制御を行なうためのリソースを解放することを目的とする。
【課題を解決するための手段】
【０００６】
例えば、端末装置と無線通信を行なう基地局装置であって、前記端末装置との間のデータの送受信を制御する送受信制御部と、前記送受信制御部が前記端末装置との間でデータの送受信の制御を行なうための設定を行い、かつ前記端末装置の移動を管理する設定管理部と、前記設定管理部が前記設定を行った後、前記設定管理部を非活性化する非活性化部と、を具備し、前記送受信制御部は、前記設定管理部が非活性化した状態で前記端末装置とのデータの送受信を行なう基地局装置を用いる。【０００７】
また、例えば、基地局装置と無線通信を行なう端末装置であって、前記基地局装置との間のデータの送受信を制御する送受信制御部と、前記送受信制御部が前記基地局装置との間でデータの送受信を制御するための設定を行い、かつ前記端末装置の移動を管理する設定管理部と、前記設定管理部が前記設定を行った後、前記基地局装置の指示に前記設定管理部を非活性化する非活性化部と、具備し、前記送受信制御部は、前記設定管理部が非活性化した状態で前記基地局装置とのデータの送受信を行なう端末装置を用いる。【０００８】
また、例えば、端末装置と基地局装置とが無線通信を行なう通信システムであって、前記端末装置との間のデータの送受信を制御する送受信制御部と、前記送受信制御部が前記端末装置との間でデータの送受信を制御するための設定を行い、かつ前記端末装置の移動を管理する設定管理部と、前記設定管理部が前記設定を行った後、前記設定管理部を非活性化する非活性化部と、を備えた基地局装置と、端末装置と、を具備し、前記送受信制御部は、前記設定管理部が非活性化した状態で前記端末装置とのデータの送受信を行なう通信システムを用いる。
【発明の効果】
【０００９】
本基地局装置、端末装置および通信システムによれば、端末装置の移動の管理に加え、データの送受信の制御を行なうためのリソースを解放することができる。
【図面の簡単な説明】
【００１０】
【図１】図１は、実施例１が用いられる通信システムの例を示す図である。
【図２】図２は、実施例１の端末装置の機能ブロック図である。
【図３】図３は、実施例１の基地局装置の機能ブロック図である。
【図４】図４は、実施例１の端末装置の動作を示すフローチャートである。
【図５】図５は、実施例１の基地局装置の動作を示すフローチャートである。
【図６】図６は、実施例１における端末装置、基地局装置およびＭＭＥが実装するプロトコルの例である。
【図７】図７は、基地局装置のプロトコルアーキテクチャを示す図である。
【図８】図８は、端末装置、基地局装置、ＭＭＥおよびＳ−ＧＷのシーケンス図である。
【図９】図９は、端末装置、基地局装置およびＭＭＥのシーケンス図である。
【図１０】図１０は、実施例１のシステムのシーケンス図（その１）である。
【図１１】図１１は、実施例１のシステムのシーケンス図（その２）である。
【図１２】図１２は、プレーンの状態を示す図（その１）である。
【図１３】図１３は、プレーンの状態を示す図（その２）である。
【図１４】図１４は、プレーンの状態を示す図（その３）である。
【図１５】図１５は、プレーンの状態を示す図（その４）である。
【図１６】図１６は、実施例２の端末装置の動作を示すフローチャートである。
【図１７】図１７は、実施例２のシステムのシーケンス図である。
【図１８】図１８は、実施例３の端末装置の動作を示すフローチャートである。
【図１９】図１９は、実施例３の基地局装置の動作を示すフローチャートである。
【発明を実施するための形態】
【００１１】
以下、図面を参照に実施例を説明する。
【実施例１】
【００１２】
図１は、実施例１が用いられる通信システムの例として次世代３ＤＰＰ（3rd Generation Partnership Project）のネットワークシステムを示す図である。通信システム９０は、端末装置（ＭＳ：Mobile Station）１０、基地局装置（ｅＮＢ：Evolved-UTRAN NodeB）２０、ネットワーク３２および基地局制御装置４４を含んでいる。通信システム９０はＩＭＳ（IP Multimedia Subsystem）４０を介しアプリケーションサーバ（ＡＰＬ）４２と接続されている。【００１３】
端末装置１０は、携帯電話等の移動端末、または家電等３０と接続された半固定の端末（非移動端末）である。基地局制御装置４４は、ＭＭＥ（Mobility Management Entity）３４、Ｓ−ＧＷ（Service Gate Way）３６、ＰＤＮ−ＧＷ（Packet Data Node Gate Way）３８を含んでいる。ＭＭＥ３４は、基地局装置２０と端末装置１０との接続や端末装置１０の移動等を管理する。また、ＭＭＥ３４は、端末装置１０からＩＭＳ４０を介してのＡＰＬ４２とのデータ送受信を管理する。端末装置１０とＭＭＥ３４との間には、基地局装置２０およびネットワーク３２を介し制御プレーン５０が設定される。Ｓ−ＧＷ３６およびＰＤＮ−ＧＷ３８は、端末装置１０とＡＰＬ４２間のデータの送受信を行う。端末装置１０とＰＤＮ−ＧＷ３８との間には、基地局装置２０、ネットワーク３２、Ｓ−ＧＷ３６を介しユーザプレーン５２が設定される。以上により、ＭＭＥ３４による端末装置１０の制御は、制御プレーン５０を介し行なわれる。また、ＰＮＤ−ＧＷ３８と端末装置１０とのデータの送受信は、ユーザプレーン５２を介し行われる。【００１４】
図２は、端末装置１０の機能ブロック図である。端末装置１０は、送受信部１１、送受信制御部１２、設定管理部１４、非活性化部１６およびメモリ１８を含んでいる。送受信部１１は、基地局装置２０とのデータの送受信を行う。送受信制御部１２は、送受信部１１を制御し基地局装置２０とのデータの送受信を制御する。設定管理部１４は、端末装置１０の移動を管理する移動制御を行なう。設定管理部１４は、例えば、ＭＭＥ３４の指示に基づきハンドオーバを行なう。また、ＭＭＥ３４の指示に基づき送受信部１１が送信する電波のパワー制御を行なう。さらに、設定管理部１４は、送受信制御部１２が基地局装置２０との間でデータの送受信を行なうための設定を行なう。例えば、基地局装置２０からの指示に基づき基地局装置２０との間にユーザプレーン５２を設定する。非活性化部１６は、基地局装置２０からの指示に基づき設定管理部１４の機能を非活性化する。メモリ１８は、例えば端末装置１０が移動端末か、非移動端末かのフラグを記憶する。【００１５】
図３は、基地局装置２０の機能ブロック図である。基地局装置２０は、送受信部２１、２９、送受信制御部２２、設定管理部２４、非活性化部２６およびメモリ２８を含んでいる。送受信部２１は、端末装置１０とのデータの送受信を行なう。送受信部２９は、基地局制御装置４４とのデータの送受信を行なう。送受信制御部２２は、送受信部２１を制御し端末装置１０とのデータの送受信を制御する。設定管理部２４は、端末装置１０の移動を管理する移動制御を行なう。例えば、ＭＭＥ３４の指示に基づきハンドオーバを行なう。また、設定管理部２４は、送受信制御部２２が端末装置１０との間でデータの送受信を行なうための設定を行なう。例えば、端末装置１０との間にユーザプレーン５２を設定する。非活性化部２６は、設定管理部２４の機能を非活性化する。メモリ２８は、例えば端末装置１０が移動端末か、非移動端末かのフラグを記憶する。【００１６】
図４は、端末装置１０の動作を示すフローチャートである。まず、非活性化部２６は、設定管理部１４を活性化する（ステップＳ１１）。例えば、端末装置１０とＭＭＥ３４との間に制御プレーン５０を設定する。設定管理部１４は、データ送受信の設定を行なう（ステップＳ１０）。例えば、端末装置１０とＰＤＮ−ＧＷ３８との間にユーザプレーン５２を設定する。次に、非活性化部１６は、端末装置１０が移動端末かを判断する（ステップＳ１２）。例えば、ユーザが端末装置１０が移動端末か非移動端末かを判断し、メモリ内のフラグを設定しておく。非活性化部１６はメモリ内のフラグを読み出し、端末装置１０が移動端末か非移動端末かを判断する。Ｙｅｓの場合、ステップＳ２０に進む。【００１７】
ステップＳ１２においてＮｏの場合、非活性化部１６は基地局装置２０に設定管理部２４の非活性化を要求する（ステップＳ１４）。例えば、制御プレーン５０の切断を要求する。非活性化部１６は、基地局装置２０から非活性化の指示を受信したか判断する（ステップＳ１６）。Ｎｏの場合、ステップＳ１６に戻る。Ｙｅｓの場合、非活性化部１６は、設定管理部１４を非活性化する（ステップＳ１８）。例えば、基地局装置２０との間の制御プレーン５０を切断する。これにより、制御プレーン５０を維持するリソースが解放される。【００１８】
次に、送受信制御部１２は、基地局装置２０とデータの送受信を行なう。例えば、ＡＬＰ４２とユーザプレーン５２を介しデータの送受信を行なう（ステップＳ２０）。データの送受信が終了すると、送受信制御部２２は、データ送受信の設定を切断する（ステップＳ２２）。例えば、基地局装置２０とのユーザプレーン５２を切断する。次に、非活性化部１６は、設定管理部１４を非活性化するか判断する（ステップＳ２４）。例えば、ステップＳ１８において既に設定管理部２４が非活性化されている場合、非活性化部１６はＮｏと判断する。また、設定管理部１４が非活性化されていない場合、非活性化部２６はＹｅｓと判断する。Ｎｏの場合、終了する。Ｙｅｓの場合、非活性化部１６は、設定管理部１４を非活性化する（ステップＳ２６）。例えば、制御プレーン５０を切断する。【００１９】
図５は、基地局装置２０の動作を示すフローチャートである。まず、非活性化部２６は、設定管理部１４を活性化する（ステップＳ４１）。次に、設定管理部２４は、データ送受信の設定を行なう（ステップＳ４０）。例えば、端末装置１０とＰＤＮ−ＧＷ３８との間にユーザプレーン５２を設定する。送受信制御部２２は、例えばユーザプレーン５２のトラヒック管理を行なう。次に、非活性化部２６は、設定管理部２４を非活性化するか判断する（ステップＳ４２）。例えば、非活性化部２６は端末装置１０から非活性化の要求があれば、Ｙｅｓと判断する。端末装置１０から非活性化の要求がなければＮｏと判断する。Ｎｏの場合、送受信制御部２２は、端末装置１０とデータの送受信を行なう（ステップＳ４３）。ステップＳ５０に進む。【００２０】
ステップＳ４２においてＹｅｓの場合、非活性化部２６は、設定管理部２４を非活性化する（ステップＳ４４）。例えば、端末装置１０との間の制御プレーン５０を切断する。送受信制御部２２は、端末装置１０とデータの送受信を行なう（ステップＳ４６）。送受信制御部２２は、ユーザプレーンのトラヒック管理を行なう。送受信制御部２２は、端末装置１０からのデータ送受信が終了すると、データ送受信が終了してから所定時間経過したか判断する（ステップＳ４８）。Ｎｏの場合、ステップＳ４８に戻る。Ｙｅｓの場合、ステップＳ５０に進む。【００２１】
ステップＳ５０において、送受信制御部２２は、データ送受信の設定を切断する（ステップＳ５０）。例えば、端末装置１０とのユーザプレーン５２を切断する。次に、非活性化部２６は、設定管理部２４を非活性化するか判断する（ステップＳ２４）。例えば、ステップＳ４４において既に設定管理部２４が非活性化されている場合、非活性化部２６はＮｏと判断する。また、設定管理部２４が非活性化されていない場合、非活性化部２６はＹｅｓと判断する。Ｎｏの場合、終了する。Ｙｅｓの場合、非活性化部２６は、設定管理部２４を非活性化する（ステップＳ５２）。例えば、制御プレーン５０を切断する。【００２２】
次に次世代３ＧＰＰネットワークシステム、例えば３ＧＰＰ  ＴＳ  ３６．３００  Ｖ８．８．０に実施例１を適用する例を説明する。図６は、端末装置１０、基地局装置２０およびＭＭＥ３４が実装するプロトコルの例である。端末装置１０と基地局装置２０との間の通信プロトコルとしては、レイヤ１としてＰＨＹ（物理）層１０２を含んでいる。レイヤ２として、ＭＡＣ（Medium Access Control）層１０４、ＲＬＣ（Radio Link Control）層１０６、ＰＤＣＰ（Packet Data Convergence Protocol）層１０８を含んでいる。レイア３としてＲＲＣ（Radio Resource Control）層１１０を含んでいる。端末装置１０とＭＭＥ３４との間のプロトコルとしては、ＮＡＳ（Non-Access Stratum）層１１２を含んでいる。【００２３】
基地局装置２０とＭＭＥ３４との間にプロトコルとしては、ＰＨＹ層１２２、Ｅｔｈｅｒ層１２４、ＩＰ（Internet Protocol）層１２６、ＳＣＴＰ（Stream control Transmission Protocol）層１２８、Ｓ１−ＡＰ層１３０を含んでいる。【００２４】
図７は、基地局装置２０のプロトコルアーキテクチャを示す図である。図６に加えＳＡＰ（Service Access Point）を記載している。ＰＨＹ層１０２とＭＡＣ層１０４との間にはトランスポートチャネルが定義されている。ＭＡＣ層１０４とＲＬＣ層１０６との間には論理チャネルが定義されている。ＲＬＣ層１０６より上位では、ユーザプレーンと制御プレーンに別れている。ＭＡＣ層１０４は主に無線リソースの割当を行なう。ＲＬＣ層１０６およびＰＤＣＰ層１０８は主に無線リンクの制御を行なう。ＲＲＣ層１１０は、主にＰＨＹ層１０２、ＭＡＣ層１０４、ＲＬＣ層１０６およびＰＤＣＰ層１０８を制御し、無線リソースの制御を行う。【００２５】
図６および図７の破線１５０の範囲が図２および図３の設定管理部１４、２４に対応した制御プレーン５０である。図２および図３の非活性化部１６および２６は、図４のステップＳ１８および図５のステップＳ４４において、破線１５０の範囲内のプロトコルを非活性化する。制御プレーン５０が行なう機能は、例えば、インターセルＲＲＭ（Radio Resource Management）機能、ＲＢＣ（Radio Bearer Control）機能、ＣＭＣ（Connection Mobility Control）機能、ＲＡＣ（Radio Admission control）機能、eNBメジャメントコンフィグレーションプロビジョン（Measurement Configuration & Provision）機能、スケジューラ機能、ＲＲＣ機能等である。一方、例えば、認証秘匿機能、再送重複制御機能等は、制御プレーン５０が行なわい機能である。【００２６】
次に、図６および図７の破線１５０の範囲のプロトコル（すなわち制御プレーン５０）が行なう制御の例を説明する。まず、制御プレーン５０が行なう移動管理の制御の例を説明する。図８は、端末装置１０、基地局装置２０ａおよび２０ｂ、ＭＭＥ３４およびＳ−ＧＷ３６のシーケンス図である。基地局装置２０ａは端末装置１０と接続されている基地局装置であり、基地局装置２０ｂは、ハンドオーバ先の基地局装置である。破線矢印は、ユーザプレーンを介したデータの送受信である。一点鎖線矢印は、レイア１または２の送受信である。実線矢印はレイア３の送受信を示している。【００２７】
図８のように、まず、基地局装置２０ａ、２０ｂ、ＭＭＥ３４およびＳ−ＧＷ３６は、現在の設定状態で、端末装置１０と基地局装置２０ａとが通信を行なっている（ステップＳ２００）。基地局装置２０ａは、端末装置１０にメジャメントコントロールを行なわせる（ステップＳ２０２）。例えば、端末装置１０は、基地局装置２０ａまたは２０ｂからのＣＰＩＣＨ（Common Pilot Channel）の電力を測定する。この間、端末装置１０は、基地局装置２０ａを介しＳ−ＧＷ３６とパケットデータを送受信する（ステップＳ２０４）。この間、基地局装置２０ａは、端末装置１０にＵＬ（Up Link）のアロケーションを行なう（ステップＳ２０６）。端末装置１０は、基地局装置２０ａにメジャメントリポートを行なう（ステップＳ２０８）。例えば、各基地局装置２０ａおよび２０ｂからのＣＰＩＣＨ電力を報告する。基地局装置２０ａは、ハンドオーバ（ＨＯ）をするか否か決定する（ステップＳ２１０）。【００２８】
ステップＳ２１２からＳ２２０において、ＨＯの準備を行なう。基地局装置２０ａは基地局装置２０ｂにＨＯをリクエストする（ステップＳ２１２）。基地局装置２０ｂはＨＯを承認する（ステップＳ２１４）。基地局装置２０ｂはＨＯリクエストの承認を基地局装置２０ａに送信する（ステップＳ２１６）。基地局装置２０ａは、端末装置１０にＤＬ（Down Link）のアロケーションを行なう（ステップＳ２１８）。基地局装置２０ａは端末装置１０に、ＲＲＣコネクションリコンフィグレーションメッセージを送付する（ステップＳ２２０）。このメッセージには、移動コントロール情報も含まれる。【００２９】
ステップＳ２２２からＳ２３６において、ＨＯの実行を行なう。端末装置１０は、基地局装置２０ａを切り離し、基地局装置２０ｂと同期をとる（ステップＳ２２２）。基地局装置２０ａは、それまでの端末装置１０との通信状況および送受信中のパケットを基地局装置２０ｂに送付する（ステップＳ２２４）。基地局装置２０ａは基地局装置２０ｂに端末装置１０のステータスを送信する（ステップＳ２２６）。基地局装置２０ａは基地局装置２０ｂに端末装置１０と送受信中のパッケトデータを送信する（ステップＳ２２８）。基地局装置２０ｂは基地局装置２０ａからのパケットをバッファする（ステップＳ２３０）。端末装置１０は、基地局装置２０ｂと同期をとる（ステップＳ２３２）。基地局装置２０ｂは端末装置１０にＵＬアロケーションする（ステップＳ２３４）。端末装置１０は、基地局装置２０ｂにＲＲＣ接続リコンフィグレーション完了を報告する（ステップＳ２３６）。【００３０】
ステップＳ２３８からＳ２５６において、ＨＯの完了を行なう。端末装置１０は基地局装置２０ｂを介しＳ−ＧＷ３６とパケットデータの送受信を行なう（ステップＳ２３７）。基地局装置２０ｂはＭＭＥ３４にパススイッチリクエストを行なう（ステップＳ２３８）。ＭＭＥ３４は、Ｓ−ＧＷ３６にＵＰレーンアップデートリクエストを行なう（ステップＳ２４０）。Ｓ−ＧＷ３６ハ、ＤＬパスをスイッチし、基地局装置２０ａにエンドマークを送信する（ステップＳ２４４）。この間、基地局装置２０ｂとＳ−ＧＷ３６とはパケットデータの送受信を行なう（ステップＳ２４６）。基地局装置２０ａは、基地局装置２０ｂにエンドマークを送信する（ステップＳ２４８）。Ｓ−ＧＷ３６はＭＭＥ３４にＵプレーンアップデートレスポンスを送信する（ステップＳ２５０）。ＭＭＥ３４は基地局装置５０ｂにパススイッチリクセストの承認を報告する（ステップＳ２５２）。基地局装置２０ｂは基地局装置２０ａに端末装置１０コンテキストリリースを送信する（ステップＳ２５４）。基地局装置２０ａは、リソースをリリースする（ステップＳ２５６）。【００３１】
図４のステップＳ１８および図５のステップＳ４４において、非活性化部２６が設定管理部２４を非活性化すると、設定管理部２４は図８のような端末装置１０と基地局装置２０ａおよび２０ｂとの間の移動管理を行なわなくなる。よって、端末装置１０のＨＯ等が行なえなくなる。【００３２】
次に、制御プレーン５０が行なう基地局装置２０と端末装置１０との間のデータの送受信制御を行なうための設定の例を説明する。図９は、端末装置１０、基地局装置２０およびＭＭＥ３４のシーケンス図である。【００３３】
図９を参照し、まず、ステップＳ３００からＳ３１８において、制御プレーンの設定が行なわれる。これらのステップは、図４のステップＳ１１および図５のステップＳ４１に対応する。端末装置１０は、基地局装置２０にランダムアクセスプリアンブルを送信する（ステップＳ３００）。基地局装置２０は端末装置１０にランダムアクセスレスポンスを送信する（ステップＳ３０２）。これにより、設定のスケジューリングを決定する。端末装置１０は、基地局装置２０にＲＲＣ接続リクエストを送信する（ステップＳ３０４）。基地局装置２０は端末装置１０にＲＲＣ接続セットアップを送信する（ステップＳ３０６）。端末装置１０は、基地局装置２０にＲＲＣ接続セットアップ完了を報告する（ステップＳ３０８）。【００３４】
基地局装置２０は、ＭＭＥ３４にイニシャルＵＥメッセージ（サービスリクエスト：ＮＡＳメッセージ）を送信する（ステップＳ３１０）。基地局装置２０は、端末装置１０にセキュリティモードコマンドを送信する（ステップＳ３１２）。端末装置１０は基地局装置２０にセキュリティモード完了を報告する（ステップＳ３１４）。基地局装置２０は、端末装置１０にＲＲＣ接続リコンフィグレーションを送信する（ステップＳ３１６）。端末装置１０は基地局装置２０にＲＲＣ接続リコンフィグレーションの完了を報告する（ステップＳ３１８）。以上により制御プレーンが設定される。【００３５】
次に、ステップＳ３２０からＳ３３６において、ユーザプレーンの設定が行なわれる。これらのステップは、図４のステップＳ１０および図５のステップＳ４０に対応する。基地局装置２０はＭＭＥ３４に、イニシャルコンテキストセットアップレスポンスを送信する（ステップＳ３２０）。端末装置１０は、基地局装置２０にＵＬインフォメーショントランスファ（ベアラリソースアロケーションリクエスト：ＮＡＳメッセージ）を送信する（ステップＳ３２２）。基地局装置２０はＭＭＥ３４に、ＵＬリンクＮＡＳトランスポート（ＰＤＮコネクティビティリクエスト：ＮＡＳメッセージ）を送信する（ステップＳ３２４）。ＭＭＥ３４は基地局装置２０に、Ｓ１−ＡＰ：ＳＡＥ（System Architecture Evolution）ベアラセットアップリクエスト（アクティブデフォルトＥＰＳ（Evolved Packet System）ベアラコンテキストリクエスト）を送信する（ステップＳ３２６）。【００３６】
基地局装置２０は、端末装置１０にＲＲＣ接続リコンフィグレーション（アキティブデフォルトＥＰＳベアラコンテキストリクエスト：ＮＡＳメッセージ）を送信する（ステップＳ３２８）。端末装置１０は基地局装置２０にＲＲＣ接続リコンフィグレーション完了を報告する（ステップＳ３３０）。基地局装置２０は、ＭＭＥ３４にＳＡＥベアラセットアップリクエストを送信する（ステップＳ３３２）。端末装置１０は、基地局装置２０にＵＬインフォメーショントランスファ（アクティブデフォルトＥＰＳベアラコンテキストアクセプト：ＮＡＳメッセージ）を報告する（ステップＳ３３４）。基地局装置２０はＭＭＥ３４にＵＬリンクＮＡＳトランスポート（アクティブデフォルトＥＰＳベアラコンテキストアクセプト：ＮＡＳメッセージ）を送信する（ステップＳ３３６）。以上により、基地局装置２０と端末装置１０との間のデータの送受信制御を行なうためのユーザプレーンの設定が完了する。【００３７】
図４のステップＳ１８および図５のステップＳ４４において、非活性化部２６が設定管理部２４を非活性化すると、設定管理部２４は、図９のような端末装置１０と基地局装置とのデータ送受信制御の設定ができなくなる。【００３８】
次に、例えば３ＧＰＰ  ＴＳ  ３６．３００  Ｖ８．８．０に実施例１を適用した場合の端末装置１０、基地局装置２０のシーケンスを説明する。【００３９】
図１０は、端末装置１０が移動端末の場合のシーケンス図、図１１は、端末装置１０が非移動端末であった場合のシーケンス図である。図１０および図１１は、端末装置１０、基地局装置２０、ＭＭＥ３４、ＧＷ３６、３８およびＡＰＬ４２間のシーケンスを示している。図１２から図１５は、端末装置１０、基地局装置２０、ＭＭＥ３４、Ｓ−ＧＷ３６およびＰＤＮ−ＧＷ３８間のプレーンの状態を示す図である。【００４０】
図１２は、初期状態のプレーンを示している。図１２のように、端末装置１０と基地局装置２０との間に共通の制御プレーン６０が設定されている。基地局装置２０とＭＭＥ３４との間に共通の制御プレーン６２が設定されている。ＭＭＥ３４とＳ−ＧＷ３６との間にプレーン６４が設定されている。プレーン６４により、ＭＭＥ３４はＳ−ＧＷ３６を制御する。【００４１】
まず、図１０を参照し、端末装置１０が移動端末の場合のシーケンスについて説明する。端末装置１０は、制御プレーン５０およびユーザプレーン５２の設定を行なう（ステップＳ１００）。ステップＳ１００において、端末装置１０は、基地局装置２０を介し、ＭＭＥ３４に制御プレーンおよびユーザプレーンの設定を要求する（ステップＳ１０２）。ＭＭＥ３４は、端末装置１０と基地局装置２０との間に個別の制御プレーンおよびユーザプレーンを設定する。例えば、ＭＭＥ３４は、ＲＲＣ（Radio resource control）を設定する。また、ＰＤＮを設定する。より詳細には、図９のステップＳ３００からＳ３１８のように制御プレーン５０が設定される。その後、制御プレーン５０が、図９のステップＳ３２０からＳ３３６のようにユーザプレーン５２を設定する。【００４２】
図１３のように、端末装置１０と基地局装置２０との間に個別の制御プレーン６８が設定される。これにより、端末装置１０から基地局装置２０を介したＭＭＥ３４への制御プレーン５０が設定される。端末装置１０と基地局装置２０との間に個別のユーザプレーン７０、基地局装置２０とＳ−ＧＷ３６との間に個別のユーザプレーン７２、Ｓ−ＧＷ３６とＰＤＮ−ＧＷ３８との間にユーザプレーン７４が設定される。これにより、ユーザプレーン７０、７２および７４を介し、端末装置１０からＩＭＳ４０へのユーザプレーン５２が設定される。【００４３】
図１０に戻り、ＭＭＥ３４は、端末装置１０および基地局装置２０の制御プレーン５０およびユーザプレーン５２の設定を報告する（ステップＳ１０４）。次に、端末装置１０とＩＭＳ４０との接続を行なう（ステップＳ１１０）ステップＳ１１０において、端末装置１０は、ＩＭＳ４０に接続を要求する（ステップＳ１１２）。ＩＭＳ４０は、端末装置１０に接続の了承を報告する（ステップＳ１１４）。【００４４】
次に、端末装置１０とＡＰＬ４２との間で、データの送受信を行なう（ステップＳ１３０）。ステップＳ１３０において、端末装置１０は、ユーザプレーン５２を介しＩＭＳ４０へのデータの送信を行なう（ステップＳ１３２）。ＩＭＳ４０は、ユーザプレーン５２を介し端末装置１０へのデータの送信を行なう（ステップＳ１３４）。データの送受信が終了すると、端末装置１０とＩＭＳ４０との接続を終了する（ステップＳ１４０）ステップＳ１４０において、端末装置１０は、ＩＭＳ４０に接続の終了を要求する（ステップＳ１４２）。ＩＭＳ４０は、端末装置１０に接続の終了を了承する（ステップＳ１４４）。【００４５】
次に、ユーザプレーン５２の切断を行なう（ステップＳ１５０）。ステップＳ１５０において、端末装置１０は、ＭＭＥ３４にユーザプレーン５２の切断を要求する（ステップＳ１５２）。ＭＭＥ３４は、ユーザプレーン５２を切断する（ステップＳ１５５）。例えば、ＰＤＮ−ＧＷ３８を解放する。ＭＭＥ３４は、端末装置１０にユーザプレーン５２の切断を報告する（ステップＳ１５４）。【００４６】
次に、制御プレーン５０の切断を行なう（ステップＳ１６０）。ステップＳ１６０において、ＭＭＥ３４は、基地局装置２０に端末装置１０との制御プレーン５０の切断を要求する（ステップＳ１６２）。基地局装置２０は端末装置１０に制御プレーン５０を切断させる（ステップＳ１６５）。例えば、基地局装置２０は、ＲＲＣ（Radio resource control）接続を解放する。基地局装置２０は、ＭＭＥ３４に制御プレーン５０の切断を報告する（ステップＳ１６４）。【００４７】
図１４のように、ステップＳ１５０およびＳ１６０により、制御プレーン６８、ユーザプレーン７０および７２が切断される。ユーザプレーン７４は、すぐには切断されていないが、ステップＳ１５０後、所定時間後に切断されてもよい。【００４８】
次に、図１１を参照し、端末装置１０が非移動端末の場合のシーケンスについて説明する。ステップＳ１００およびステップＳ１１０は図１０と同じであり説明を省略する。端末装置１０とＩＭＳ４０との接続後、端末装置１０が非移動端末の場合、図４のステップＳ１４のように、端末装置１０は、基地局装置２０に制御プレーン５０の切断を要求する（ステップＳ１２２）。基地局装置２０は、制御プレーン５０の切断を端末装置１０に指示する（ステップＳ１２４）。例えば、基地局装置２０は、ＲＲＣの解放を行なう。これにより、制御プレーン５０が切断される。【００４９】
図１５のように、個別の制御プレーン６２が切断される。ユーザプレーン５２は設定された状態である。【００５０】
図１１に戻り、ステップＳ１３０およびＳ１４０は、図１０と同じであり説明を省略する。ステップＳ１３０において、ユーザプレーン５２は切断されていないため、端末装置１０とＩＭＳ４０とのデータの送受信はユーザプレーン５２を用い行なうことができる。ステップＳ１４０において、ＩＭＳ４０との接続が終了すると、図４のステップＳ２２のように、端末装置１０はユーザプレーン５２の切断を行なう。基地局装置２０は、制御プレーン５０が切断されており、端末装置１０とＩＭＳ４０との接続の終了を認識できない。そこで、図５のステップＳ４８のように、最後の端末装置１０とＩＭＳ４０とのデータの送受信から所定時間経過後、ユーザプレーン５２を切断する（ステップＳ１７０）。ステップＳ１７０において、基地局装置２０は、ＭＭＥ３４にユーザプレーン５２の切断を要求する（ステップＳ１７２）。ＭＭＥ３４は、ユーザプレーン５２を切断する（ステップＳ１７５）。例えば、ＰＤＮ−ＧＷ３８を解放する。ＭＭＥ３４は、基地局装置２０にユーザプレーン５２の切断を報告する（ステップＳ１７４）。【００５１】
実施例１の基地局装置２０によれば、図５のステップＳ４０、図１１のステップＳ１００のように、基地局装置２０の設定管理部２４は端末装置１０とのデータ送受信の設定を行なう。その後、図５のステップＳ４４および図１１のステップＳ１２０のように、基地局装置２０の非活性化部２６は、データ送受信の設定を維持した状態で設定管理部２４を非活性化する。図５のステップＳ４６および図１１のステップＳ１３０のように、基地局装置２０の送受信制御部２２は、設定管理部２４が非活性化した状態で端末装置１０とのデータの送受信を制御する。以上により、端末装置１０の移動制御を行なう設定管理部２４のリソースを解放することができ、低消費電力化することができる。さらに、設定管理部２４は、端末装置１０とのデータ送受信の設定を行なっているため、リソースをより解放し、より低消費電力化することができる。【００５２】
また、図５のステップＳ４２のように、端末装置１０が移動端末の場合、図５のステップＳ４３および図１０のステップＳ１３０のように非活性化部２６は設定管理部２４を非活性化しない。一方、端末装置１０が非移動端末の場合、図５のステップＳ４４および図１１のステップＳ１２０のように非活性化部２６は設定管理部２４を非活性化する。以上のように、端末装置１０が非移動端末の場合、設定管理部２４全体を非活性化することにより、低消費電力化が可能となる。【００５３】
非活性化部２６は、端末装置１０が移動端末か固定端末かによらず、他の条件を用い端末装置１０に応じ、設定管理部２４の非活性化を行なうか否かを決定することもできる。【００５４】
図５のステップＳ４２のように、基地局装置２０の非活性化部２６は、端末装置１０からの指示に基づき設定管理部２４を非活性化することができる。例えば、ユーザは端末装置１０を移動端末とするか非移動端末とするかの情報を端末装置１０のメモリ１８に設定しておくことができる。また、端末装置１０が自ら移動端末か否かを判断することもできる。【００５５】
実施例１では、図５のステップＳ４４において、例えば制御プレーン５０を削除してしまう。このため、基地局装置２０は、端末装置１０とＩＭＳ４０との間の接続が終了したか認識することができない。そこで、図５のステップＳ４８、Ｓ５０および図１１のステップＳ１７０のように、送受信制御部２２は、端末装置１０とのデータの送受信が行われなくなってから所定時間経過した場合に、データの送受信のための設定を削除することができる。これにより、例えばユーザプレーン５２が設定された状態で放置されることを抑制することができる。【００５６】
実施例１の端末装置１０によれば、図４のステップＳ１０および図１１のステップＳ１００のように、端末装置１０の設定管理部１４が基地局装置２０とのデータ送受信の設定を行なう。その後、図４のステップＳ１６、Ｓ１８および図１１のステップＳ１２０のように基地局装置２０の指示に基づきデータ送受信の設定を維持した状態で設定管理部２４を非活性化する。図４のステップＳ２０および図１１のステップＳ１３０のように、送受信制御部１２は、設定管理部１４が非活性化した状態で端末装置１０とのデータの送受信を行なう。以上により、端末装置１０の低消費電力化を図ることができる。【００５７】
また、図４のステップＳ１４のように、非活性化部１６は、基地局装置２０に設定管理部１４の非活性化を行なうことを指示する情報を送信することができる。これにより、例えば、ユーザは端末装置１０を移動端末とするか非移動端末とするか、端末装置１０に設定しておくことができる。また、端末装置１０が自ら移動端末か否かを判断することもできる。
【実施例２】
【００５８】
実施例２は、基地局装置２０が非活性化の判断を行なう例である。図１６は、実施例２の端末装置１０の動作を示すフローチャートである。ステップＳ１０の後、非活性化部１６は基地局装置２０から非活性化の指示を受信したか判断する（ステップＳ３８）。Ｎｏの場合、ステップＳ２０に進む。Ｙｅｓの場合、非活性化部１６は設定管理部１４を非活性化する（ステップＳ１８）。例えば、制御プレーン５０を削除する。その後、ステップＳ２０に進む。その他の動作は実施例１の図４と同じであり説明を省略する。【００５９】
実施例２の基地局装置２０の動作を図５を参照し説明する。図５のステップＳ４２において、非活性化部２６は、自らの判断で設定管理部２４を非活性化するか判断する。その他の動作は実施例１と同じであり説明を省略する。【００６０】
図１７は、端末装置１０が非移動端末の場合のシーケンス図である。端末装置１０が移動端末の場合のシーケンスは実施例１の図１０と同じであり説明を省略する。図１７のように、端末装置１０が非移動端末の場合、基地局装置２０は、端末装置１０に制御プレーン５０の切断を指示する（ステップＳ１２６）。その他のシーケンスは実施例１の図１１と同じであり説明を省略する。【００６１】
実施例２のように、端末装置１０が設定管理部を非活性化する端末かを、基地局装置２０が判断することもできる。例えば、ユーザが端末装置１０を移動端末とするか非移動端末とするかの情報を基地局装置２０のメモリ２８に設定しておくことができる。また、基地局装置２０が自ら端末装置１０が移動端末か否かを判断することもできる。
【実施例３】
【００６２】
図１８は、実施例３の端末装置の動作を示すフローチャートである。図１８のように、ステップＳ２０の後、端末装置１０の送受信制御部１２は、最後のデータの送受信から所定時間経過したか判断する（ステップＳ６０）。Ｎｏの場合、ステップＳ６０に戻る。Ｙｅｓの場合、ステップＳ２４において、送受信制御部１２は、基地局装置２０とのデータ送受信の設定を切断する（ステップＳ２２）。端末装置１０のその他の動作は実施例１の図４と同じであり説明を省略する。【００６３】
図１９は、実施例３の基地局装置の動作を示すフローチャートである。図１９のように、ステップＳ４６の後、基地局装置２０の送受信制御部２２は、最後のデータの送受信から所定時間経過したか判断する（ステップＳ４８）。Ｙｅｓの場合、ステップＳ５０に進む。Ｎｏの場合、ステップＳ６２に進む。送受信制御部２２は、データの送受信が所定のデータ量を超過したか判断する（ステップＳ６２）。Ｙｅｓの場合、ステップＳ５０に進む。Ｎｏの場合ステップＳ４８に進む。その他の基地局装置２０の動作は実施例１の図５と同じであり説明を省略する。【００６４】
例えば、制御プレーン５０を削除した後、端末装置１０が移動した場合、ハンドオーバを行なうことができない。このため、基地局装置２０と端末装置１０とのデータの送受信ができなくなってしまう。実施例３によれば、図１８のステップＳ６０のように送受信制御部１２は、基地局装置２０とのデータの送受信が行われなくなってから所定時間経過した場合に、ステップＳ２２のようにデータの送受信のための設定を削除する。よって、端末装置１０が移動し、データの送受信ができなくなった場合も、端末装置１０は、ユーザプレーン５２を適切に切断することができる。【００６５】
また、図１９のステップＳ４８のように、送受信制御部２２は、端末装置１０とのデータの送受信が行われなくなってから所定時間経過した場合に、ステップＳ５０のようにデータの送受信のための設定を削除する。よって、基地局装置２０においても、端末装置１０は、ユーザプレーン５２を適切に切断することができる。【００６６】
さらに、図１９のステップＳ６２のように、送受信制御部２２は、端末装置１０とのデータの送受信が所定量以上となった場合に、ステップＳ５０のように、データの送受信のための設定を削除する。これにより、制御プレーン５０が削除された場合に、データの送受信が過度に行われることを抑制することができる。このように、送受信制御部２２は、データの送受信のトラヒック管理を行い、ネットワークの都合により、ユーザプレーン５２を切断することができる。【００６７】
基地局装置２０がユーザプレーン５２を切断した場合、端末装置１０は、データの送受信の終了を認識できない。しかし、図１９のステップＳ４８のように、送受信制御部２２は、端末装置１０とのデータの送受信が行われなくなってから所定時間経過した場合に、データの送受信のための設定を削除する。このため、ユーザプレーン５２を適切に削除することができる。【００６８】
実施例１〜３においては、端末装置１０が非移動端末の場合、非活性化部１６および２６が設定管理部１４および２４を非活性化し、移動端末の場合、設定管理部１４および２４を非活性化しない例を説明した。非活性化部１６および２６は、設定管理部１４および２４は、ユーザの設定や自らの判断で任意の端末を選択して設定管理部１４および２４を非活性化してもよい。【００６９】
以上、本発明の好ましい実施例について詳述したが、本発明は係る特定の実施例に限定されるものではなく、特許請求の範囲に記載された本発明の要旨の範囲内において、種々の変形・変更が可能である。
【符号の説明】
【００７０】
１０      端末装置
１２      送受信制御部
１４      設定管理部
１６      非活性化部
２０      基地局装置
２２      送受信制御部
２４      設定管理部
２６      非活性化部
５０      制御プレーン
５２      ユーザプレーン
【図１】
2010140261.tif 000003
【図２】
2010140261.tif 000004
【図３】
2010140261.tif 000005
【図４】
2010140261.tif 000006
【図５】
2010140261.tif 000007
【図６】
2010140261.tif 000008
【図７】
2010140261.tif 000009
【図８】
2010140261.tif 000010
【図９】
2010140261.tif 000011
【図１０】
2010140261.tif 000012
【図１１】
2010140261.tif 000013
【図１２】
2010140261.tif 000014
【図１３】
2010140261.tif 000015
【図１４】
2010140261.tif 000016
【図１５】
2010140261.tif 000017
【図１６】
2010140261.tif 000018
【図１７】
2010140261.tif 000019
【図１８】
2010140261.tif 000020
【図１９】
2010140261.tif 000021
【手続補正書】
【提出日】平成23年12月9日(2011.12.9)
【手続補正１】
【補正対象書類名】明細書
【補正対象項目名】００１８
【補正方法】変更
【補正の内容】
【００１８】
次に、送受信制御部１２は、基地局装置２０とデータの送受信を行なう。例えば、ＡＰＬ４２とユーザプレーン５２を介しデータの送受信を行なう（ステップＳ２０）。データの送受信が終了すると、送受信制御部２２は、データ送受信の設定を切断する（ステップＳ２２）。例えば、基地局装置２０とのユーザプレーン５２を切断する。次に、非活性化部１６は、設定管理部１４を非活性化するか判断する（ステップＳ２４）。例えば、ステップＳ１８において既に設定管理部２４が非活性化されている場合、非活性化部１６はＮｏと判断する。また、設定管理部１４が非活性化されていない場合、非活性化部２６はＹｅｓと判断する。Ｎｏの場合、終了する。Ｙｅｓの場合、非活性化部１６は、設定管理部１４を非活性化する（ステップＳ２６）。例えば、制御プレーン５０を切断する。
【手続補正２】
【補正対象書類名】明細書
【補正対象項目名】００２１
【補正方法】変更
【補正の内容】
【００２１】
ステップＳ５０において、送受信制御部２２は、データ送受信の設定を切断する（ステップＳ５０）。例えば、端末装置１０とのユーザプレーン５２を切断する。次に、非活性化部２６は、設定管理部２４を非活性化するか判断する（ステップＳ５２）。例えば、ステップＳ４４において既に設定管理部２４が非活性化されている場合、非活性化部２６はＮｏと判断する。また、設定管理部２４が非活性化されていない場合、非活性化部２６はＹｅｓと判断する。Ｎｏの場合、終了する。Ｙｅｓの場合、非活性化部２６は、設定管理部２４を非活性化する（ステップＳ５４）。例えば、制御プレーン５０を切断する。
【手続補正３】
【補正対象書類名】明細書
【補正対象項目名】００５６
【補正方法】変更
【補正の内容】
【００５６】
実施例１の端末装置１０によれば、図４のステップＳ１０および図１１のステップＳ１００のように、端末装置１０の設定管理部１４が基地局装置２０とのデータ送受信の設定を行なう。その後、図４のステップＳ１６、Ｓ１８および図１１のステップＳ１２０のように基地局装置２０の指示に基づきデータ送受信の設定を維持した状態で設定管理部１４を非活性化する。図４のステップＳ２０および図１１のステップＳ１３０のように、送受信制御部１２は、設定管理部１４が非活性化した状態で基地局装置２０とのデータの送受信を行なう。以上により、端末装置１０の低消費電力化を図ることができる。
【国際調査報告】
2010140261.tif 000022
2010140261.tif 000023
2010140261.tif 000024